(57)【要約】【課題】アクティブマトリクス型表示装置の表示画面に発生する縦シャドーを防止する。【解決手段】列データ演算部１３は、入力された画像データＤに含まれる列方向のデータについて所定の演算を行い、演算結果Ａを出力する。ＬＵＴ１４は、演算結果Ａを垂直帰線期間データＢに変換する。スイッチ１５は、タイミング制御信号ＴＣに応じて、画像データＤの有効期間では画像データＤを出力し、垂直帰線期間では垂直帰線期間データＢを出力する。データ信号線駆動回路３は、表示制御回路１１から出力されたデータに基づき、データ信号線Ｙ１〜Ｙｍを駆動する。表示制御回路１１は、画像データＤが動画データのときには垂直帰線期間データＢを求める処理を停止してもよく、周囲温度や外光の強度に基づき垂直帰線期間データＢを求めてもよい。【選択図】図１
2008058345.tif 000002
【特許請求の範囲】
【請求項１】
アクティブマトリクス型の表示装置であって、
行方向および列方向に配置された複数の表示素子と、
同じ行に配置された表示素子に共通して接続される複数の走査信号線と、
同じ列に配置された表示素子に共通して接続される複数のデータ信号線と、
前記走査信号線を選択的に活性化する走査信号線駆動回路と、
入力された画像データに含まれる各列のデータに基づき、当該列についての垂直帰線期間データを求め、前記画像データと前記垂直帰線期間データとを切り替えて出力するデータ処理回路と、
前記画像データの有効期間では、前記データ処理回路から出力された画像データに基づき前記データ信号線を駆動し、垂直帰線期間では、前記データ処理回路から出力された垂直帰線期間データに基づき前記データ信号線を駆動するデータ信号線駆動回路とを備えた、表示装置。
【請求項２】
前記データ処理回路は、
前記画像データに含まれる各列のデータについて、所定の演算を行う列データ演算部と、
前記列データ演算部による演算結果を前記垂直帰線期間データに変換するデータ変換部とを含むことを特徴とする、請求項１に記載の表示装置。
【請求項３】
前記列データ演算部は、前記画像データに含まれる各列のデータの単純平均値を算出することを特徴とする、請求項２に記載の表示装置。
【請求項４】
前記列データ演算部は、前記画像データに含まれる各列のデータの重み付き平均値を算出することを特徴とする、請求項２に記載の表示装置。
【請求項５】
前記列データ演算部は、前記画像データに含まれる各列のデータから上位ビットを抽出して、前記所定の演算を行うことを特徴とする、請求項２に記載の表示装置。
【請求項６】
前記列データ演算部は、前記画像データに含まれる各列のデータから一部のデータを抽出して、前記所定の演算を行うことを特徴とする、請求項２に記載の表示装置。
【請求項７】
前記データ変換部は、前記列データ演算部による演算結果と前記垂直帰線期間データとを対応づけて記憶したテーブルで構成されていることを特徴とする、請求項２に記載の表示装置。
【請求項８】
前記画像データが動画データであるときには、前記データ処理回路は、前記垂直帰線期間データを求める処理を停止することを特徴とする、請求項１の記載の表示装置。
【請求項９】
周囲温度を検出する温度検出部をさらに備え、
前記データ処理回路は、前記温度検出部で検出された周囲温度に応じて前記垂直帰線期間データを求めることを特徴とする、請求項１に記載の表示装置。
【請求項１０】
外光の強度を検出する光検出部をさらに備え、
前記データ処理回路は、前記光検出部で検出された外光の強度に応じて前記垂直帰線期間データを求めることを特徴とする、請求項１に記載の表示装置。
【発明の詳細な説明】
【技術分野】
【０００１】
本発明は、液晶表示装置などの表示装置に関し、特に、アクティブマトリクス型の表示装置に関する。
【背景技術】
【０００２】
近年、フラットパネルディスプレイとして、液晶表示装置の需要が急速に延びている。液晶表示装置は、従来のＣＲＴモニターなどと比べて低消費電力かつ省スペースという特長を有するので、テレビを始め、携帯電話、携帯型ゲーム機、車載用ナビゲーション装置などに広く利用されている。
【０００３】
液晶表示装置には高い表示品位が要求されるが、液晶表示装置の表示品位を低下させる現象の１つとして、シャドーが知られている。例えば、液晶表示装置が、図１５（ａ）に示すように、ある階調の背景の中に別の階調のウインドウを含む画面を表示する場合に、図１５（ｂ）に示すように、ウインドウの上下左右に本来の階調とは異なる影が見えることがある。ウインドウの左右（Ａ部）に発生する影は「横シャドー」、ウインドウの上下（Ｂ部）に発生する影は「縦シャドー」と呼ばれる。
【０００４】
図１５に示す例では、ウインドウの階調は背景の階調よりも低く、横シャドーが発生した部分（Ａ部）は本来（Ｃ部）よりも明るく、縦シャドーが発生した部分（Ｂ部）は本来よりも暗くなっている。ウインドウの階調と背景の階調の関係やウインドウのサイズによって、シャドーの実際の見え方は様々である。
【０００５】
シャドーは、動画を表示する液晶表示装置（例えば、テレビ）ではあまり目立たないので、それほど問題にならない。ところが、コンピュータグラフィック画像を表示する液晶表示装置（例えば、パーソナルコンピュータのモニター、携帯電話、携帯型ゲーム機、車載用ナビゲーション装置など）では、表示画面によってはシャドーが非常に目立つことがある。シャドーが発生すると、表示品位が著しく低下する。
【０００６】
縦シャドーと横シャドーでは発生原因が異なるので、それぞれについて別の対策を施す必要がある。本発明は縦シャドーを防止することを目的とするので、以下では縦シャドーに着目する。まず、図１６〜図１８を参照して、縦シャドーの発生原因を説明する。図１６は、アクティブマトリクス型の液晶表示装置の等価回路図である。図１６に示す液晶表示装置は、複数の走査信号線Ｘ１、Ｘ２、…と、走査信号線と直交する複数のデータ信号線Ｙ１、Ｙ２、…と、走査信号線とデータ信号線の各交点に設けられた複数の表示素子Ｐ（破線で囲んだ領域）とを備えている。表示素子Ｐは、１個の画素（あるいは、１個の副画素）に対応する。図１６に示す点Ｑは、スイッチングトランジスタＴＲのドレイン電極と液晶セル（液晶容量）Ｃｘの一方の電極とに接続された画素電極に相当する。
【０００７】
表示素子Ｐに含まれる画素電極と表示素子Ｐを挟む２本のデータ信号線との間には、寄生容量（ソース−ドレイン間容量）Ｃｓｄ１、Ｃｓｄ２が存在する。このため、スイッチングトランジスタＴＲがオフでも、データ信号線の電圧が変化すると、スイッチングトランジスタＴＲのドレイン電圧（点Ｑの電圧）は変化し、当該ドレイン電圧と共通電極電圧Ｖｃｏｍとの差である液晶印加電圧も変化する。また、表示素子Ｐに含まれる液晶分子は、１垂直期間中の液晶印加電圧の２乗平均に応答する。このため、同じ行に配置された２個の表示素子に対してスイッチングトランジスタＴＲをオンにして同じ電圧を与えても、スイッチングトランジスタＴＲがオフである間の各表示素子を挟む２本のデータ信号線の電圧が異なると、２個の画素の輝度は異なる。以上の理由により、表示画面に縦シャドーが発生する。
【０００８】
ここで、図１６に示す液晶表示装置はドット反転駆動を行うノーマリーホワイト型の液晶表示装置であるとし、走査信号線Ｘｉとデータ信号線Ｙｊの交点に設けられた表示素子ＰをＰ（ｉ，ｊ）、当該表示素子に対応した画素をＰＸ（ｉ，ｊ）という。また、説明を簡単にするために、表示素子Ｐ（ｉ，ｊ）に含まれる画素電極とデータ信号線Ｙｊとの間にある寄生容量の影響のみを考慮し、当該画素電極とデータ信号線Ｙｊ＋１との間にある寄生容量の影響を無視する。
【０００９】
図１７は、画素ＰＸ（ｉ，ｊ）が図１５（ｂ）のＣ部（縦シャドーが発生していない部分）に含まれる場合について、表示素子Ｐ（ｉ，ｊ）における電圧を示す信号波形図である。図１７に示すように、走査信号線Ｘｉの電圧は、１垂直期間のうち１水平期間だけハイレベルとなる。走査信号線Ｘｉの電圧がハイレベルである間、スイッチングトランジスタＴＲはオンし、スイッチングトランジスタＴＲのドレイン電圧は、データ信号線Ｙｊの電圧に等しくなる。その後、走査信号線Ｘｉの電圧がローレベルに変化すると、スイッチングトランジスタＴＲはオフする。スイッチングトランジスタＴＲがオフである間も、データ信号線Ｙｊの電圧が変化すると、スイッチングトランジスタＴＲのドレイン電圧が変化し、液晶印加電圧も変化する。
【００１０】
従来の液晶表示装置では、垂直帰線期間ではデータ信号線Ｙｊに対して、例えば黒データに対応した電圧が与えられる。このため、ノーマリーホワイト型の液晶表示装置では、垂直帰線期間では、データ信号線Ｙｊの電圧は大きく変化し、これに伴い、スイッチングトランジスタＴＲのドレイン電圧と液晶印加電圧は大きく変化する。
【００１１】
表示素子Ｐ（ｉ，ｊ）における液晶印加電圧の実効値Ｖｒｍｓは、次式（１）に示すように、１垂直期間中の液晶印加電圧の２乗平均になる。
Ｖｒｍｓ＝｛（∫｛ｆ（ｔ）｝2ｄｔ）／Ｔ｝1/2   …（１）
ただし、上式（１）において、ｆ（ｔ）は液晶印加電圧、Ｔは表示素子Ｐに対するデータの書き込み完了から、同じ表示素子Ｐに対する次回のデータの書き込み開始までの時間（１垂直期間から１水平期間を引いた時間）である。
【００１２】
図１８は、画素ＰＸ（ｉ，ｊ）が図１５（ｂ）のＢ部（縦シャドーが発生している部分）に含まれる場合について、表示素子Ｐ（ｉ，ｊ）における電圧を示す信号波形図である。図１８は図１７に類似するが、図１８では、垂直帰線期間だけでなくウインドウ表示期間でも、データ信号線Ｙｊの電圧は大きく変化し、これに伴い、スイッチングトランジスタＴＲのドレイン電圧と液晶印加電圧は大きく変化する。
【００１３】
図１７と図１８を対比すれば分かるように、Ｃ部に含まれる画素に対応した表示素子とＢ部に含まれる画素に対応した表示素子とでは、液晶印加電圧の実効値が異なる。このため、Ｃ部に含まれる画素とＢ部に含まれる画素とでは輝度が異なり、この結果、縦シャドーが発生する。
【００１４】
なお、ここまでノーマリーホワイト型の液晶表示装置において縦シャドーが発生する理由を具体的に説明してきたが、ノーマリーブラック型の液晶表示装置でも同様の理由により縦シャドーが発生する。また、ここまでドット反転駆動を行う液晶表示装置で縦シャドーが発生することを説明してきたが、縦シャドーは、ドット反転駆動を行う液晶表示装置よりもライン反転駆動を行う液晶表示装置で発生しやすい。
【００１５】
ドット反転駆動を行う液晶表示装置よりもライン反転駆動を行う液晶表示装置で縦シャドーが発生しやすい理由は、以下のとおりである。ドット反転駆動を行う液晶表示装置では、液晶印加電圧の極性は、ラインごと、画素ごと、および、フレームごとに反転する（図１９（ａ）および（ｂ）を参照）。このため、隣接するデータ信号線に与えられる電圧の極性は常に逆になり、表示素子を挟む２個の寄生容量には逆極性の電荷が蓄積される。この場合、２個の寄生容量による影響は相殺されるので、ドット反転駆動を行う液晶表示装置では縦シャドーは発生しにくい。これに対して、ライン反転駆動を行う液晶表示装置では、液晶印加電圧の極性は、ラインごと、および、フレームごとに反転する（図２０（ａ）および（ｂ）を参照）。このため、隣接するデータ信号線に与えられる電圧の極性は常に同じになり、表示素子を挟む２個の寄生容量には同極性の電荷が蓄積される。この場合、２個の寄生容量による影響は相殺されないので、ライン反転駆動を行う液晶表示装置では表示画面に縦シャドーが発生しやすい。
【００１６】
従来から、表示画面に発生する縦シャドーを防止する方法として、いくつかの方法が知られている。例えば、特許文献１には、各画素に対して、各水平期間中のデータ信号線電圧（ソースライン電圧）として、補正電圧を印加した後に電圧を変化させて目標電圧を印加する方法が開示されている。この文献には、補正電圧として１種類の電圧を用いる方法と、複数種類の電圧を用いる方法とが開示されている。
【特許文献１】特開２００１−２４９６４７号公報
【発明の開示】
【発明が解決しようとする課題】
【００１７】
しかしながら、特許文献１に開示された方法には、以下のような問題がある。まず、補正電圧として１種類の電圧を用いる方法には、大幅な補正を要する階調では、補正期間が長くなり、１水平期間内にデータ信号線電圧が目標電圧に達しないことがあるという問題がある。図２１は、特許文献１の図６（ａ）である。図２１に示す例では、１種類の補正電圧が用いられ、目標電圧に応じて補正期間の長さが変更される。ところが、この例では、Ｖ６３の時の補正期間は１水平期間に対してかなり長い。一般にデータ信号線駆動回路は、データ信号線やＴＦＴ（Thin Film Transistor）素子の負荷を考慮して、１水平期間内にデータ信号線電圧が目標電圧に到達するように設計される。ところが、図２１に示すように水平期間の一部を電圧の補正に用いると、図２２に示すように、１水平期間内にデータ信号線電圧が目標電圧に到達せずに、誤差が生じることがある。
【００１８】
また、補正電圧として複数種類の電圧を用いる方法には、多くの種類の補正電圧が必要となり、回路量が多くなるという問題がある。一般に、多階調表示を行う液晶表示装置ではデータ信号線駆動回路（ソースドライバ回路）は、図２３に示すように、複数の電圧設定端子を有し、電圧設定端子から与えられた電圧を内部のラダー抵抗で分圧することにより、多数のデータ信号線電圧を生成する。しかしながら、２５６階調の表示を行う液晶表示装置に使用される、２５６種類の電圧を生成するデータ信号線駆動回路でも、電圧設定端子の数は１０本程度である。このため、補正電圧として複数種類の電圧を用いるとしても、データ信号線駆動回路の外部から調整できる電圧の種類は１０種類程度に限られる。また、１０種類の電圧を用いる場合でも、電圧設定端子ごとに正常電圧と補正電圧の２種類を用意する必要があるので、回路量が多くなる。また、周囲温度に応じて補正電圧を切り替えることが好ましいと考えられるが、このような温度補償を行う場合には回路量はさらに多くなる。例えば０℃、２５℃、４０℃、６０℃の各温度について補正電圧を用意しようとすると、各電圧設定端子について正常電圧を含めて５種類の電圧を生成する必要がある。
【００１９】
また、特許文献１に開示された方法には、補正電圧が逆転する可能性があり、その場合にはデータ信号線駆動回路の仕様を満足できないという問題もある。図２４は、特許文献１の図６（ｂ）である。図２４に示す例では、３種類の補正電圧の間に（Ｖ０の補正電圧）＞（Ｖ６３の補正電圧）＞（Ｖ４２の補正電圧）という関係がある。ところが、一般に、データ信号線駆動回路では、Ｖ０≧Ｖ１≧…≧Ｖ２５４≧Ｖ２５５、または、Ｖ２５５≧Ｖ２５４≧…≧Ｖ１≧Ｖ０を満たすことが必要とされる。このように特許文献１に開示された方法では、データ信号線駆動回路の仕様を満足できないことがある。
【００２０】
それ故に、本発明の目的は、上記以外の方法で、アクティブマトリクス型表示装置の表示画面に発生する縦シャドーを防止することである。また、本発明の他の目的は、周囲温度や外光の強度が変化しても、アクティブマトリクス型表示装置の表示画面に発生する縦シャドーを防止することである。
【課題を解決するための手段】
【００２１】
第１の発明は、アクティブマトリクス型の表示装置であって、
行方向および列方向に配置された複数の表示素子と、
同じ行に配置された表示素子に共通して接続される複数の走査信号線と、
同じ列に配置された表示素子に共通して接続される複数のデータ信号線と、
前記走査信号線を選択的に活性化する走査信号線駆動回路と、
入力された画像データに含まれる各列のデータに基づき、当該列についての垂直帰線期間データを求め、前記画像データと前記垂直帰線期間データとを切り替えて出力するデータ処理回路と、
前記画像データの有効期間では、前記データ処理回路から出力された画像データに基づき前記データ信号線を駆動し、垂直帰線期間では、前記データ処理回路から出力された垂直帰線期間データに基づき前記データ信号線を駆動するデータ信号線駆動回路とを備える。
【００２２】
第２の発明は、第１の発明において、
前記データ処理回路は、
前記画像データに含まれる各列のデータについて、所定の演算を行う列データ演算部と、
前記列データ演算部による演算結果を前記垂直帰線期間データに変換するデータ変換部とを含むことを特徴とする。
【００２３】
第３の発明は、第２の発明において、
前記列データ演算部は、前記画像データに含まれる各列のデータの単純平均値を算出することを特徴とする。
【００２４】
第４の発明は、第２の発明において、
前記列データ演算部は、前記画像データに含まれる各列のデータの重み付き平均値を算出することを特徴とする。
【００２５】
第５の発明は、第２の発明において、
前記列データ演算部は、前記画像データに含まれる各列のデータから上位ビットを抽出して、前記所定の演算を行うことを特徴とする。
【００２６】
第６の発明は、第２の発明において、
前記列データ演算部は、前記画像データに含まれる各列のデータから一部のデータを抽出して、前記所定の演算を行うことを特徴とする。
【００２７】
第７の発明は、第２の発明において、
前記データ変換部は、前記列データ演算部による演算結果と前記垂直帰線期間データとを対応づけて記憶したテーブルで構成されていることを特徴とする。
【００２８】
第８の発明は、第１の発明において、
前記画像データが動画データであるときには、前記データ処理回路は、前記垂直帰線期間データを求める処理を停止することを特徴とする。
【００２９】
第９の発明は、第１の発明において、
周囲温度を検出する温度検出部をさらに備え、
前記データ処理回路は、前記温度検出部で検出された周囲温度に応じて前記垂直帰線期間データを求めることを特徴とする。
【００３０】
第１０の発明は、第１の発明において、
外光の強度を検出する光検出部をさらに備え、
前記データ処理回路は、前記光検出部で検出された外光の強度に応じて前記垂直帰線期間データを求めることを特徴とする。
【発明の効果】
【００３１】
上記第１の発明によれば、垂直帰線期間では、データ信号線は、各列の画像データから求めた垂直帰線期間データに基づき駆動される。このため、データ信号線の電圧の変化に伴い、表示素子に保持された電圧が変化する場合でも、好適な垂直帰線期間データを用いることにより、表示素子に保持された電圧の実効値を所望のレベルに制御することができる。これにより、表示素子の輝度を所望のレベルに制御し、表示画面に発生する縦シャドーを防止することができる。
【００３２】
上記第２の発明によれば、各列の画像データについて演算を行い、求めた結果を変換することにより、２段階の処理で垂直帰線期間データを求めることができる。したがって、動作条件に応じて変換処理の内容を切り替えることにより、データ処理回路の回路量を増やすことなく、動作条件に応じて好適な垂直帰線期間データを求め、これを用いて縦シャドーを防止することができる。
【００３３】
上記第３の発明によれば、各列の画像データの単純平均値を求め、求めた平均値を変換することにより、垂直帰線期間データを求めることができる。したがって、簡単な演算処理により垂直帰線期間データを求め、これを用いて縦シャドーを防止することができる。
【００３４】
上記第４の発明によれば、各列の画像データの重み付き平均値を求め、求めた平均値を変換することにより、垂直帰線期間データを求めることができる。したがって、行方向の位置を考慮した演算処理により垂直帰線期間データを求め、これを用いて縦シャドーを防止することができる。
【００３５】
上記第５の発明によれば、各列の画像データの上位ビットについて演算を行い、求めた結果を変換することにより、垂直帰線期間データを求めることができる。このように列データ演算部における演算を簡略化することにより、縦シャドーを防止する効果を損なうことなく、データ処理回路の回路量を削減することができる。
【００３６】
上記第６の発明によれば、一部の列の画像データについて演算を行い、求めた結果を変換することにより、垂直帰線期間データを求めることができる。このように列データ演算部における演算を簡略化することにより、縦シャドーを防止する効果を損なうことなく、データ処理回路の回路量を削減することができる。
【００３７】
上記第７の発明によれば、列データ演算部による演算結果を垂直帰線期間データに変換するデータ変換部を容易に構成することができる。
【００３８】
上記第８の発明によれば、縦シャドーがそれほど問題にならない動画データが入力されたときには、データ処理回路は垂直帰線期間データを求める処理を停止する。これにより、表示品位を低下させることなく、表示装置の消費電力を削減することができる。
【００３９】
上記第９の発明によれば、周囲温度が検知され、検知された周囲温度に応じた垂直帰線期間データが求められる。したがって、周囲温度が変化したときでも、周囲温度に応じた垂直帰線期間データを求め、これを用いて縦シャドーを防止することができる。
【００４０】
上記第１０の発明によれば、外光の強度が検知され、検知された外光の強度に応じた垂直帰線期間データが求められる。したがって、外光の強度が変化したときでも、外光の強度に応じた垂直帰線期間データを求め、これを用いて縦シャドーを防止することができる。
【発明を実施するための最良の形態】
【００４１】
（第１の実施形態）
図１は、本発明の第１の実施形態に係る液晶表示装置の構成を示すブロック図である。図１に示す液晶表示装置１０は、液晶パネル１、走査信号線駆動回路２、データ信号線駆動回路３、表示制御回路１１、および、ＥＥＰＲＯＭ１７を備えたアクティブマトリクス型の液晶表示装置である。以下、ｍおよびｎは２以上の整数、ｉは１以上ｎ以下の整数、ｊは１以上ｍ以下の整数とする。
【００４２】
液晶パネル１は、（ｍ×ｎ）個の表示素子４、ｎ本の走査信号線Ｘ１〜Ｘｎ、および、ｍ本のデータ信号線Ｙ１〜Ｙｍを含んでいる。（ｍ×ｎ）個の表示素子４は、行方向（図１では横方向）にｍ個ずつ、列方向（図１では縦方向）にｎ個ずつ並べて配置される。走査信号線Ｘ１〜Ｘｎは、それぞれ、同じ行に配置された表示素子４に共通して接続され、データ信号線Ｙ１〜Ｙｍは、それぞれ、同じ列に配置された表示素子４に共通して接続される。
【００４３】
表示制御回路１１は、タイミング制御部１２、列データ演算部１３、ルックアップテーブル（以下、ＬＵＴという）１４、スイッチ１５、および、ＬＵＴ制御部１６を含んでいる。表示制御回路１１は、後述するように、入力された画像データＤに基づき垂直帰線期間データＢを求め、画像データＤと垂直帰線期間データＢを切り替えて出力するデータ処理回路として機能する。ＥＥＰＲＯＭ１７は、テーブルデータ１８を記憶している。ＬＵＴ制御部１６は、初期化時にＥＥＰＲＯＭ１７からテーブルデータ１８を読み出しＬＵＴ１４に書き込む（以下、この処理を「ロード」という）。
【００４４】
タイミング制御部１２は、液晶表示装置１０の動作に必要なタイミング制御信号ＴＣを生成する。走査信号線駆動回路２は、タイミング制御信号ＴＣに基づき、走査信号線Ｘ１〜Ｘｎを選択的に活性化する。より詳細には、タイミング制御信号ＴＣには、ゲートスタートパルスやゲートクロックが含まれており、走査信号線駆動回路２は、これらの信号に基づき走査信号線Ｘ１〜Ｘｎの中から１本の走査信号線を順に選択し、選択した走査信号線の電圧を所定のレベル（例えば、ハイレベル）に制御する。
【００４５】
データ信号線駆動回路３は、タイミング制御信号ＴＣと、表示制御回路１１から出力されたデータ（画像データＤおよび垂直帰線期間データＢ）とに基づき、データ信号線Ｙ１〜Ｙｍを駆動する。なお、データ信号線駆動回路３は、データ信号線Ｙ１〜Ｙｍを１本ずつ順に駆動する点順次駆動を行ってもよく、データ信号線Ｙ１〜Ｙｍを一括して駆動する線順次駆動を行ってもよい。また、図１では、表示制御回路１１、走査信号線駆動回路２およびデータ信号線駆動回路３は液晶パネル１の外部に設けられているが、これらの回路の全部または一部を液晶パネル１とモノリシックに形成してもよい。
【００４６】
以下、表示制御回路１１の詳細を説明する。画像データＤには、（ｍ×ｎ）個の表示素子４に対応して、１フレームあたり（ｍ×ｎ）個のデータが含まれている。以下の説明では、液晶表示装置１０は、８ビットの画像データＤに基づき２５６階調の表示を行うものとする。なお、液晶表示装置１０は、２５６階調以外の階調（例えば、６４階調）で表示を行ってもよい。
【００４７】
液晶表示装置１０の外部から入力された画像データＤは、列データ演算部１３およびスイッチ１５に供給される。列データ演算部１３は、次式（２）に示すように、画像データＤに含まれる各列のデータの単純平均値を算出し、求めた平均値を演算結果Ａとして出力する。
Ａ＝｛Ｄ（ｉ，１）＋Ｄ（ｉ，２）＋…＋Ｄ（ｉ，ｎ）｝／ｎ  …（２）
ただし、上式（２）において、Ｄ（ｉ，ｊ）は、ｉ行目かつｊ列目に配置された表示素子４に対応した画像データＤを表す（図２を参照）。図２では、上式（２）で参照されるデータには点状模様が付されている。
【００４８】
例えば、図３に示すように、縦方向のサイズが４８０ドットの表示画面に、階調が１６０の背景と、階調が０で縦方向のサイズが２４０ドットのウインドウを表示する場合を考える。この場合、ウインドウと重なる列（例えば、列ａ）については、列データ演算部１３による演算結果Ａは、次式より１６０となる。
Ａ＝（１６０＋１６０＋…＋１６０）／４８０
＝（１６０×４８０）／４８０
＝１６０
【００４９】
これに対して、ウインドウと重なる列（例えば、列ｂ）については、列データ演算部１３による演算結果Ａは、次式より８０となる。
Ａ＝（１６０＋…＋１６０＋０＋…＋０＋１６０＋…＋１６０）／４８０
＝（１６０×２４０＋０×２４０）／４８０
＝８０
【００５０】
ＬＵＴ１４は、列データ演算部１３による演算結果Ａと垂直帰線期間データＢとを対応づけて記憶し、演算結果Ａを垂直帰線期間データＢに変換するデータ変換部として機能する。図４は、ＬＵＴ１４の内容の一例を示す図である。図４に示すＬＵＴでは、演算結果Ａが８０のときには垂直帰線期間データＢは１８６、演算結果Ａが１６０のときには垂直帰線期間データＢは１５０である。図３に示す例において図４に示すＬＵＴを用いた場合、ウインドウと重ならない列（例えば、列ａ）についての垂直帰線期間データＢは１５０、ウインドウと重なる列（例えば、列ｂ）についての垂直帰線期間データＢは１８６となる。
【００５１】
スイッチ１５は、タイミング制御信号ＴＣに従い、液晶表示装置１０の外部から入力された画像データＤと、ＬＵＴ１４から出力された垂直帰線期間データＢとを切り替えて出力する。より詳細には、スイッチ１５は、タイミング制御信号ＴＣが画像データＤの有効期間を示すときには画像データＤを出力し、タイミング制御信号ＴＣが垂直帰線期間を示すときには垂直帰線期間データＢを出力する。
【００５２】
データ信号線駆動回路３は、表示制御回路１１から出力されたデータに基づき、データ信号線Ｙ１〜Ｙｍを駆動する。スイッチ１５の作用により、表示制御回路１１は、画像データＤの有効期間では画像データＤを出力し、垂直帰線期間では垂直帰線期間データＢを出力する。したがって、データ信号線駆動回路３は、画像データＤの有効期間では、表示制御回路１１から出力された画像データＤに基づきデータ信号線Ｙ１〜Ｙｍを駆動し、垂直帰線期間では、表示制御回路１１から出力された垂直帰線期間データＢに基づきデータ信号線Ｙ１〜Ｙｍを駆動する。
【００５３】
図５は、図３に示す画面を表示するときに、表示制御回路１１から出力されるデータを示す図である。図５に示すように、ウインドウと重ならないライン（例えば、ラインａ）では、１ライン時間に亘って、値１６０の画像データＤが出力される。ウインドウと重なるライン（例えば、ラインｂ）では、ウインドウの外部に対応する部分では値１６０の画像データＤが出力され、ウインドウの内部に対応する部分では値０の画像データＤが出力される。また、垂直帰線期間では、ウインドウの外部に対応する部分では値１５０の垂直帰線期間データＢが出力され、ウインドウの内部に対応する部分では値１８６の垂直帰線期間データＢが出力される。なお、値１５０の垂直帰線期間データＢは、演算結果Ａが１６０のときにＬＵＴ１４を参照して求めたものであり、値１８６の垂直帰線期間データＢは、演算結果Ａが８０のときにＬＵＴ１４を参照して求めたものである。
【００５４】
ＬＵＴ１４に記憶された垂直帰線期間データＢ（すなわち、ＥＥＰＲＯＭ１７に記憶されたテーブルデータ１８）は、表示画面に縦シャドーが発生しない値に、事前に実験的にあるいは計算で決定される。例えば、液晶表示装置１０を使用する前に、ある階調の背景の中に別の階調のウインドウを含む画面を表示させたときに（図３を参照）、表示画面に縦シャドーが発生しないように、垂直帰線期間データＢを決定すればよい。この際、背景の階調やウインドウの階調やウインドウのサイズを適宜変更することにより、ＬＵＴ１４に記憶された演算結果Ａの値のそれぞれについて垂直帰線期間データＢを決定する。あるいは、演算結果Ａが与えられときに、表示画面に縦シャドーが発生しないような垂直帰線期間データＢを、上式（１）のような理論式から計算で求めてもよい。
【００５５】
以下、本実施形態に係る液晶表示装置１０の効果を説明する。従来の液晶表示装置では、垂直帰線期間データは、例えば黒データなどに固定されている。これに対して、液晶表示装置１０では、垂直帰線期間データＢは、画像データＤに含まれる各列のデータについての演算結果Ａ（具体的には、各列のデータの単純平均値）に基づくデータであり、表示画面に縦シャドーが発生しない値に決定されている。また、垂直帰線期間では、データ信号線Ｙ１〜Ｙｍは、垂直帰線期間データＢに基づき駆動される。
【００５６】
このため、データ信号線Ｙ１〜Ｙｍの電圧の変化に伴い、表示素子４に保持された液晶印加電圧が変化したときでも、好適な垂直帰線期間データＢを用いることにより、表示素子４に保持された液晶印加電圧の実効値を所望のレベルに制御することができる。これにより、表示素子４の輝度を所望のレベルに制御し、表示画面に発生する縦シャドーを防止することができる。
【００５７】
また、表示制御回路１１は、画像データＤに含まれる各列のデータについて演算を行う列データ演算部１３と、列データ演算部１３による演算結果Ａを垂直帰線期間データＢに変換するＬＵＴ１４とを含み、２段階の処理で垂直帰線期間データＢを求める。したがって、必要であれば、動作条件に応じてＬＵＴ１４の内容を変更することにより、表示制御回路１１の回路量を増やすことなく、動作条件に応じて好適な垂直帰線期間データＢを求め、これを用いて縦シャドーを防止することもできる。
【００５８】
また、列データ演算部１３は画像データＤに含まれる各列のデータの単純平均値を求めるだけであり、求めた単純平均値をＬＵＴ１４で変換すれば、垂直帰線期間データＢを求めることができる。したがって、簡単な演算処理により垂直帰線期間データＢを求め、これを用いて縦シャドーを防止することができる。また、ＬＵＴ１４のようなテーブルを用いることにより、演算結果Ａを垂直帰線期間データＢに変換するデータ変換部を容易に構成することができる。
【００５９】
（第１の実施形態の変形例）
第１の実施形態に係る液晶表示装置１０については、各種の変形例を構成することができる。例えば、第１の変形例として、列データ演算部１３は、演算結果Ａとして、画像データＤに含まれる各列のデータの単純平均値に代えて、次式（３）に示すように、画像データＤに含まれる各列のデータの重み付け平均値を求めてもよい。
Ａ＝｛ｓ１×Ｄ（ｉ，１）＋ｓ２×Ｄ（ｉ，２）
＋…＋ｓｎ×Ｄ（ｉ，ｎ）｝／ｎ  …（３）
ただし、上式（３）において、ｓ１〜ｓｎは重みデータである。重みデータｓ１〜ｓｎは、列データ演算部１３の内部やＬＵＴ１４に記憶される。
【００６０】
このように第１の変形例に係る液晶表示装置によれば、行方向の位置を考慮した演算処理により垂直帰線期間データＢを求め、これを用いて縦シャドーを防止することができる。
【００６１】
また、第２の変形例として、列データ演算部１３は、画像データＤに含まれる各列のデータから上位ビットを抽出して、抽出した上位ビットについて演算を行ってもよい。例えば、図３に示す例において、列データ演算部１３は、８ビットの画像データＤのうち、下位２ビットを除く上位６ビットの単純平均値を求めてもよい。この場合、ウインドウと重ならない列（例えば、列ａ）については、列データ演算部１３による演算結果Ａは、次式より４０となる。
Ａ＝（４０＋４０＋…＋４０）／４８０
＝（４０×４８０）／４８０
＝４０
【００６２】
これに対して、ウインドウと重なる列（例えば、列ｂ）については、列データ演算部１３による演算結果Ａは、次式より２０となる。
Ａ＝（４０＋…＋４０＋０＋…＋０＋４０＋…＋４０）／４８０
＝（４０×２４０＋０×２４０）／４８０
＝２０
【００６３】
第２の変形例に係る液晶表示装置では、図４に示すＬＵＴに代えて、例えば図６に示すＬＵＴが使用される。図６に示すＬＵＴは、図４に示すＬＵＴよりも回路量が少ない。垂直帰線期間データＢは、８ビットの画像データＤのうち上位６ビットの単純平均値を求め、図６に示すＬＵＴを参照することにより求められる。このように簡略化した処理により垂直帰線期間データＢを求めても、表示画面に発生する縦シャドーを防止することができる。
【００６４】
このように第２の変形例に係る液晶表示装置によれば、縦シャドーを防止する効果を損なうことなく、表示制御回路の回路量を削減することができる。なお、第２の変形例に係る液晶表示装置では、画像データＤのうち演算の対象から除外されるビット数は、表示画面に発生する縦シャドーの程度などに応じて任意に決定される。
【００６５】
また、第３の変形例として、列データ演算部１３は、画像データＤに含まれる各列のデータから一部のデータを抽出して、抽出したデータについて演算を行ってもよい。例えば、表示画面の縦方向のサイズが４８０ドットである場合に、列データ演算部１３は、画像データＤに含まれる各列のデータから奇数番目のデータ（奇数ラインに対応したデータ）を抽出し、次式（４）に示すように、抽出したデータの単純平均値（２４０個のデータの単純平均値）を求めてもよい。
Ａ＝｛Ｄ（ｉ，１）＋Ｄ（ｉ，３）＋…＋Ｄ（ｉ，４７９）｝／２４０  …（４）
【００６６】
また、上式（４）を用いた場合には１ラインごとの縞模様を表示するときに縦シャドーが発生する可能性があることを考慮して、列データ演算部１３は、画像データＤに含まれる各列のデータから、１番目のデータ、４番目のデータ、７番目のデータ、１０番目のデータ、…のように、奇数ラインに対応したデータと偶数ラインに対応したデータとを交互に抽出し、抽出したデータについて演算を行ってもよい。このように簡略化した処理により垂直帰線期間データＢを求めても、表示画面に発生する縦シャドーを防止することができる。
【００６７】
このように第３の変形例に係る液晶表示装置によれば、縦シャドーを防止する効果を損なうことなく、表示制御回路の回路量を削減することができる。なお、第３の変形例に係る液晶表示装置では、画像データＤのうち演算の対象から除外されるデータの量は、表示画面に発生する縦シャドーの程度などに応じて任意に決定される。
【００６８】
（第２の実施形態）
図７は、本発明の第２の実施形態に係る液晶表示装置の構成を示すブロック図である。図７に示す液晶表示装置２０は、液晶パネル１、走査信号線駆動回路２、データ信号線駆動回路３、表示制御回路２１、および、ＥＥＰＲＯＭ１７を備えたアクティブマトリクス型の液晶表示装置である。本実施形態の構成要素のうち、第１の実施形態と同一の要素については、同一の参照符号を付して説明を省略する。
【００６９】
表示制御回路２１は、第１の実施形態に係る表示制御回路１１に対して、動画／静止画判定部２９を追加し、列データ演算部１３およびＬＵＴ１４をそれぞれ列データ演算部２３およびＬＵＴ２４に置換したものである。
【００７０】
動画／静止画判定部２９は、所定の判断基準の下で、入力された画像データＤが動画データか静止画データを判定し、その結果を示す判定信号Ｃを出力する。なお、ここでいう静止画データには、完全に静止した画像に対応したデータだけでなく、動きが小さい動画に対応したデータなどを含んでいてもよい。以下、判定信号Ｃの値は、画像データＤが動画データのときには０、画像データＤが静止画データのときには１とする。
【００７１】
列データ演算部２３は、列データ演算部１３に対して、演算を停止する機能を追加したものである。ＬＵＴ２４は、ＬＵＴ１４に対して、固定データを出力する機能を追加したものである。列データ演算部２３およびＬＵＴ２４は、判定信号Ｃの供給を受け、判定信号Ｃに従って動作する。より詳細には、列データ演算部２３およびＬＵＴ２４は、判定信号Ｃの値が１のとき（画像データＤが静止画データのとき）には、列データ演算部１３およびＬＵＴ１４と同様に動作する。これに対して、判定信号Ｃの値が０のとき（画像データＤが動画データのとき）には、列データ演算部２３は演算結果Ａを求める処理を停止し、ＬＵＴ２４は垂直帰線期間データＢとして固定データ（例えば、黒データ）を出力する。
【００７２】
以下、本実施形態に係る液晶表示装置２０の効果を説明する。上述したように、シャドー（縦シャドーを含む）は静止画を表示するときには問題になるが、動画を表示するときには、シャドーは発生しないか、発生してもほとんど問題にならない。一方、画像データＤが動画データであるときに、列データ演算部２３が演算を停止し、ＬＵＴ２４が固定データを出力すれば、液晶表示装置２０の消費電力は減少する。
【００７３】
そこで、本実施形態に係る液晶表示装置２０では、シャドーがそれほど問題にならない動画データが入力されたときには、表示制御回路１１は垂直帰線期間データＢを求める処理を停止する。これにより、表示品位を低下させることなく、液晶表示装置２０の消費電力を削減することができる。
【００７４】
なお、図７に示す液晶表示装置２０は、画像データＤが動画データか静止画データかを判定する動画／静止画判定部２９を備えることとしたが、これに代えて、画像データＤが動画データか静止画データかは液晶表示装置の外部で判定され、その結果を示す判定結果が液晶表示装置の外部から与えられることとしてもよい。この場合、列データ演算部とＬＵＴは、液晶表示装置の外部から与えられた判定結果に従い、演算結果Ａを求める処理を停止し、垂直帰線期間データＢとして固定データを出力する。
【００７５】
（第３の実施形態）
図８は、本発明の第３の実施形態に係る液晶表示装置の構成を示すブロック図である。図８に示す液晶表示装置３０は、液晶パネル１、走査信号線駆動回路２、データ信号線駆動回路３、表示制御回路３１、ＥＥＰＲＯＭ３７、および、サーミスタ３９を備えたアクティブマトリクス型の液晶表示装置である。本実施形態の構成要素のうち、第１または第２の実施形態と同一の要素については、同一の参照符号を付して説明を省略する。
【００７６】
表示制御回路３１は、第２の実施形態に係る表示制御回路２１において、ＬＵＴ制御部１６をＬＵＴ制御部３６に置換したものである。サーミスタ３９は、周囲温度を検出する温度検出部として機能する。ＥＥＰＲＯＭ３７は、各種の周囲温度に対応して、複数のテーブルデータ３８を記憶している。
【００７７】
ＬＵＴ制御部３６は、サーミスタ３９で検出された周囲温度を所定の周期で読み出し、ＥＥＰＲＯＭ３７に記憶された複数のテーブルデータ３８の中から周囲温度に対応したテーブルデータを読み出してＬＵＴ２４に書き込む（以下、この処理を「ＬＵＴ更新処理」という）。
【００７８】
図９は、ＬＵＴ制御部３６の動作の一例を示すタイミングチャートである。図９に示す例では、ＬＵＴ制御部３６は、１垂直期間ごとに（より詳細には、垂直同期信号ＶＳＹＮＣが立ち下がると）、サーミスタ３９で検知された周囲温度を読み出し、読み出した周囲温度をパラメータとして含んだ読み出し命令をＥＥＰＲＯＭ３７に対して出力する。これにより、ＥＥＰＲＯＭ３７に記憶された複数のテーブルデータ３８の中から、サーミスタ３９で検知された周囲温度に応じたテーブルデータが読み出され、ＬＵＴ２４に書き込まれる（ＬＵＴ２４へのロード）。ＬＵＴ２４にロードされたテーブルデータは、次回に垂直帰線期間データＢを求めるときに参照される。例えば、図９においてＬＵＴ２４にロードされたテーブルデータＴＢ１は、次回に垂直帰線期間データＢ１を求めるときに参照される。
【００７９】
また、通常の使用形態では周囲温度はそれほど急激には変化しないので、ＬＵＴ制御部３６は、より少ない頻度でＬＵＴ更新処理を行ってもよい。図１０は、ＬＵＴ制御部３６の他の動作例を示すタイミングチャートである。図１０に示す例では、ＬＵＴ制御部３６は、３垂直期間ごとにＬＵＴ更新処理を行う。ＬＵＴ２４にロードされたテーブルデータは、次回、次々回、および、その次の回に垂直帰線期間データＢを求めるときに参照される。例えば、図１０においてＬＵＴ２４にロードされたテーブルデータＴＢ１は、次回に垂直帰線期間データＢ１１を求めるとき、次々回に垂直帰線期間データＢ１２を求めるとき、および、その次の回に垂直帰線期間データＢ１３を求めるときに参照される。
【００８０】
なお、ＬＵＴ更新処理の頻度は、１あるいは３垂直期間ごとに限らず、５垂直期間ごとでも、１０垂直期間ごとでも、１００垂直期間ごとなどでもよい。このように、ＬＵＴ更新処理の頻度を減らすことにより、表示品位を維持しながら、液晶表示装置３０の消費電力を削減することができる。また、図９および図１０に示すタイミングは一例であり、ＬＵＴ制御部３６は、図９および図１０に示した以外のタイミングでＬＵＴ更新処理を行ってもよい。
【００８１】
以下、本実施形態に係る液晶表示装置３０の効果を説明する。上述したように、表示画面に縦シャドーが発生するのは、画素電極とデータ信号線との間に寄生容量が存在するからである。また、図１６に示す表示素子Ｐについて、上式（１）の液晶印加電圧ｆ（ｔ）は、スイッチングトランジスタＴＲのゲート−ソース間の寄生容量を無視すれば、次式（５）により与えられる。
ｆ（ｔ）＝（Ｃｐ×Ｖｃ＋Ｃｓｄ１×Ｖｓ）／（Ｃｓｄ１＋Ｃｐ）−Ｖｃｏｍ
…（５）
ただし、上式（５）において、Ｃｐは液晶セルＣｘの容量（液晶容量と補助容量の和）、Ｃｓｄ１は画素電極と当該画素電極に接続されたデータ信号線との間にある寄生容量（スイッチングトランジスタＴＲのゲート−ソース間の寄生容量）、Ｖｃは充電完了時のデータ信号線電圧、Ｖｓは任意の時点でのデータ信号線電圧、Ｖｃｏｍは共通電極電圧を表す。
【００８２】
液晶表示装置では、温度が変化すると液晶容量は変化し、これに伴い上式（５）の容量Ｃｐも変化する。このため、温度が変化すると、上式（５）で与えられる液晶印加電圧ｆ（ｔ）や、上式（１）で与えられる液晶印加電圧の実効値Ｖｒｍｓも変化する。したがって、表示画面に発生する縦シャドーは、周囲温度に応じて変化する。
【００８３】
これに対応するために、本実施形態に係る液晶表示装置３０は、周囲温度を検知するサーミスタ３９と、サーミスタ３９で検出された周囲温度に応じて垂直帰線期間データＢを求める表示制御回路３１とを備えている。したがって、周囲温度が変化したときでも、周囲温度に応じた垂直帰線期間データＢを求め、これを用いて表示画面に発生する縦シャドーを防止することができる。
【００８４】
（第４の実施形態）
図１１は、本発明の第４の実施形態に係る液晶表示装置の構成を示すブロック図である。図１１に示す液晶表示装置４０は、液晶パネル５、走査信号線駆動回路２、データ信号線駆動回路３、表示制御回路４１、ＥＥＰＲＯＭ４７、サーミスタ３９、および、フォトセンサ４９を備えた、半透過型かつアクティブマトリクス型の液晶表示装置である。本実施形態の構成要素のうち、第１〜第３の実施形態と同一の要素については、同一の参照符号を付して説明を省略する。
【００８５】
液晶パネル５は、（ｍ×ｎ）個の表示素子６、ｎ本の走査信号線Ｘ１〜Ｘｎ、および、ｍ本のデータ信号線Ｙ１〜Ｙｍを含んでいる。表示素子６、走査信号線Ｘ１〜Ｘｎ、および、データ信号線Ｙ１〜Ｙｍは、液晶パネル１と同じように配置される。
【００８６】
図１２は、液晶パネル５の断面図である。図１２に示すように、液晶パネル５は、ＴＦＴ５３を設けたＴＦＴ基板５１と、対向電極５４を設けたカラーフィルタ基板５２とを平行に配置し、２枚の基板の間に液晶（図示せず）を挟み込んだ構造を有する。また、液晶パネル５は各表示素子６内に反射領域と透過領域を有しており、反射領域ではＴＦＴ基板５１とカラーフィルタ基板５２の中間に光を反射する画素電極５５が設けられる。このため、反射領域の基板間隔ｄ１は、透過領域の基板間隔ｄ２の約半分になる。２枚の基板の間には、直径が反射領域の基板間隔ｄ１にほぼ等しいスペーサ５６が設けられる。
【００８７】
液晶表示装置４０は、液晶パネル５の背面に光を照射するバックライト（図示せず）を備えている。液晶表示装置４０を明るい場所で使用するときには、バックライトは点灯せず、表示素子６内の反射領域が画素（あるいは副画素）として機能する。液晶表示装置４０を暗い場所で使用するときには、バックライトは点灯し、表示素子６内の透過領域が画素（あるいは副画素）として機能する。
【００８８】
表示制御回路４１は、第２の実施形態に係る表示制御回路２１において、ＬＵＴ制御部１６をＬＵＴ制御部４６に置換したものである。フォトセンサ４９は、外光の強度を検知する光検出部として機能する。ＥＥＰＲＯＭ４７は、各種の周囲温度に対応して、複数の透過モード用テーブルデータ４８ａと、複数の反射モード用テーブルデータ４８ｂとを記憶している。
【００８９】
ＬＵＴ制御部４６は、サーミスタ３９で検知された周囲温度とフォトセンサ４９で検知された外光の強度とを所定の周期で読み出し、ＥＥＰＲＯＭ４７に記憶された複数のテーブルデータ４８ａ、４８ｂの中から周囲温度と外光の強度に応じたテーブルデータを読み出してＬＵＴ２４に書き込む。より詳細には、ＬＵＴ制御部４６は、外光の強度に関する閾値Ｔを有しており、フォトセンサ４９で検知された外光の強度が閾値Ｔ未満のときには、透過モードと判定し、複数の透過モード用テーブルデータ４８ａの中から周囲温度に応じたテーブルデータを読み出してＬＵＴ２４に書き込む。これに対して、フォトセンサ４９で検知された外光の強度が閾値Ｔ以上のときには、ＬＵＴ制御部４６は、反射モードと判定し、複数の反射モード用テーブルデータ４８ｂの中から周囲温度に応じたテーブルデータを読み出してＬＵＴ２４に書き込む。
【００９０】
図１３は、ＬＵＴ制御部４６の動作の一例を示すタイミングチャートである。図１３に示すタイミングチャートは、図９に示すタイミングチャートにフォトセンサ４９からの読み出しタイミングを追加したものである。図１３に示す例では、ＬＵＴ制御部４６は、１垂直期間ごとに（より詳細には、垂直同期信号ＶＳＹＮＣが立ち下がると）、サーミスタ３９で検知された周囲温度とフォトセンサ４９で検知された外光の強度とを読み出す。次に、ＬＵＴ制御部４６は、読み出した外光の強度に基づき透過モードか反射モードかを判定し、当該判定結果と読み出した周囲温度とをパラメータとして含んだ読み出し命令をＥＥＰＲＯＭ４７に対して出力する。これにより、ＥＥＰＲＯＭ４７に記憶された複数のテーブルデータ４８ａ、４８ｂの中から、サーミスタ３９で検知された周囲温度とフォトセンサ４９で検知された外光の強度とに応じたテーブルデータが読み出され、ＬＵＴ２４に書き込まれる（ＬＵＴ２４へのロード）。ＬＵＴ２４にロードされたテーブルデータは、第３の実施形態と同様に、次回に垂直帰線期間データＢを求めるときに参照される。
【００９１】
図１４は、ＬＵＴ制御部４６の他の動作例を示すタイミングチャートである。図１４に示すタイミングチャートは、図１０に示すタイミングチャートにフォトセンサ４９からの読み出しタイミングを追加したものである。図１４に示す例では、ＬＵＴ制御部４６は、３垂直期間ごとにＬＵＴ更新処理を行う。ＬＵＴ２４にロードされたテーブルデータは、第３の実施形態と同様に、次回、次々回、および、その次の回に垂直帰線期間データＢを求めるときに参照される。また、ＬＵＴ制御部４６は、任意の時間間隔でＬＵＴ更新処理を行ってもよく、図１３および図１４に示した以外のタイミングでＬＵＴ更新処理を行ってもよい。
【００９２】
以下、本実施形態に係る液晶表示装置４０の効果を説明する。上述したように、半透過型の液晶表示装置４０に含まれる表示素子６は透過領域と反射領域とを有し、反射領域の基板間隔ｄ１は典型的には透過領域の基板間隔ｄ２の約半分になる。また、上式（５）の容量Ｃｐに含まれる液晶容量Ｃｃｌは、次式（６）で与えられる。
Ｃｃｌ＝ε×Ｓ／ｄ  …（６）
ただし、上式（６）において、εは液晶の誘電率、Ｓは基板の面積、ｄは基板間隔である。
【００９３】
上式（６）に示すように液晶容量Ｃｃｌは基板間隔ｄに反比例し、反射領域の基板間隔ｄ１と透過領域の基板間隔ｄ２とは異なるので、反射領域が画素として機能するとき（反射モード）と透過領域が画素として機能するとき（透過モード）とでは、上式（５）で与えられる液晶印加電圧ｆ（ｔ）や、上式（１）で与えられる液晶印加電圧の実効値Ｖｒｍｓも変化する。このため、半透過型の液晶表示装置では、透過モードに合わせて縦シャドー対策を施すと、明るい場所で使用したときに縦シャドーが発生し、反射モードに合わせて縦シャドー対策を施すと、暗い場所で使用したときに縦シャドーが発生する。
【００９４】
そこで、本実施形態に係る液晶表示装置４０は、外光の強度を検知するフォトセンサ４９と、フォトセンサ４９で検知された周囲温度に応じて垂直帰線期間データＢを求める表示制御回路４１とを備えている。したがって、外光の強度が変化したときでも、外光の強度に応じた垂直帰線期間データＢを求め、これを用いて表示画面に発生する縦シャドーを防止することができる。
【００９５】
なお、第２〜第４の実施形態についても、第１の実施形態と同様の変形例を構成することができる。また、本発明は、液晶表示装置以外のアクティブマトリクス型表示装置にも適用することができる。液晶表示装置以外のアクティブマトリクス型表示装置においても、入力された画像データに含まれる各列のデータに基づき垂直帰線期間データを求め、垂直帰線期間では垂直帰線期間データに基づきデータ信号線を駆動することにより、表示画面に発生する縦シャドーを防止することができる。
【図面の簡単な説明】
【００９６】
【図１】本発明の第１の実施形態に係る液晶表示装置の構成を示すブロック図である。
【図２】図１に示す液晶表示装置において列データ演算部が参照するデータを示す図である。
【図３】図１に示す液晶表示装置による表示画面の例を示す図である。
【図４】図１に示す液晶表示装置のＬＵＴの内容の一例を示す図である。
【図５】図１に示す液晶表示装置の表示制御回路の出力データの例を示す図である。
【図６】図１に示す液晶表示装置のＬＵＴの内容の他の例を示す図である。
【図７】本発明の第２の実施形態に係る液晶表示装置の構成を示すブロック図である。
【図８】本発明の第３の実施形態に係る液晶表示装置の構成を示すブロック図である。
【図９】図８に示す液晶表示装置のＬＵＴ制御部の動作の一例を示すタイミングチャートである。
【図１０】図８に示す液晶表示装置のＬＵＴ制御部の他の動作例を示すタイミングチャートである。
【図１１】本発明の第４の実施形態に係る液晶表示装置の構成を示すブロック図である。
【図１２】図１１に示す液晶表示装置の液晶パネルの断面図である。
【図１３】図１１に示す液晶表示装置のＬＵＴ制御部の動作の一例を示すタイミングチャートである。
【図１４】図１１に示す液晶表示装置のＬＵＴ制御部の他の動作例を示すタイミングチャートである。
【図１５】液晶表示装置の表示画面に発生するシャドーを示す図である。
【図１６】アクティブマトリクス型の液晶表示装置の等価回路図である。
【図１７】液晶表示装置の表示素子における電圧（ウインドウがない場合）を示す信号波形図である。
【図１８】液晶表示装置の表示素子における電圧（ウインドウがある場合）を示す信号波形図である。
【図１９】ドット反転駆動を行う液晶表示装置における液晶印加電圧の極性を示す図である。
【図２０】ライン反転駆動を行う液晶表示装置における液晶印加電圧の極性を示す図である。
【図２１】従来の液晶表示装置における補正電圧の使用方法（第１の方法）を示す図である。
【図２２】従来の液晶表示装置において、データ信号線電圧に発生する出力誤差を示す図である。
【図２３】液晶表示装置に含まれるデータ信号線駆動回路の構成を示す図である。
【図２４】従来の液晶表示装置における補正電圧の使用方法（第２の方法）を示す図である。
【符号の説明】
【００９７】
１、５…液晶パネル
２…走査信号線駆動回路
３…データ信号線駆動回路
４、６…表示素子
１０、２０、３０、４０…液晶表示装置
１１、２１、３１、４１…表示制御回路
１２…タイミング制御部
１３、２３…列データ演算部
１４、２４…ＬＵＴ
１５…スイッチ
１６、３６、４６…ＬＵＴ制御部
１７、３７、４７…ＥＥＰＲＯＭ
１８、３８、４８…テーブルデータ
２９…動画／静止画判定部
３９…サーミスタ
４９…フォトセンサ
【図１】
2008058345.tif 000003
【図２】
2008058345.tif 000004
【図３】
2008058345.tif 000005
【図４】
2008058345.tif 000006
【図５】
2008058345.tif 000007
【図６】
2008058345.tif 000008
【図７】
2008058345.tif 000009
【図８】
2008058345.tif 000010
【図９】
2008058345.tif 000011
【図１０】
2008058345.tif 000012
【図１１】
2008058345.tif 000013
【図１２】
2008058345.tif 000014
【図１３】
2008058345.tif 000015
【図１４】
2008058345.tif 000016
【図１５】
2008058345.tif 000017
【図１６】
2008058345.tif 000018
【図１７】
2008058345.tif 000019
【図１８】
2008058345.tif 000020
【図１９】
2008058345.tif 000021
【図２０】
2008058345.tif 000022
【図２１】
2008058345.tif 000023
【図２２】
2008058345.tif 000024
【図２３】
2008058345.tif 000025
【図２４】
2008058345.tif 000026